(57)【要約】【課題】開閉扉の開閉装置及びこれを使用した液晶プロジェクタに関し、開閉扉を開位置と閉位置とにロックすることができるようにしたものである。【解決手段】開閉扉の開閉装置２０には、ベース５０、回転体６０、筒体７０を備える。筒体７０には、アーム９０、ピン１００、ばね１１０を備える。ベース５０には、例えば図１及び図３に示すように、他方の開口７２から突出するピン１００がトレースするカム面１２０が設けられている。カム面１２０には、開閉扉３０の閉位置においてピン１００がばね１１０の復元力で突出することによりはまり込み、ばね１１０の開方向の付勢力を受け止める第１凹部１２１、開閉扉３０の開位置においてピン１００がばね１１０の復元力で突出することによりはまり込む第２凹部１２２を備える。【選択図】　　図１
2004146580.tif 000002
【特許請求の範囲】
【請求項１】
開閉扉を有するハウジングに固定されるベースと、
前記ベースに回転可能に支持されるとともに、前記開閉扉の片側に少なくとも固定されて前記開閉扉の回転中心となる回転体と、
両端部がそれぞれ開口した筒形を成し、前記ベースに対して前記両端部間において回転可能に支持され、かつ前記両端部の一方の開口を前記回転体に向けた筒体とを備える開閉扉の開閉装置であって、
前記筒体には、
前記筒体内にスライド可能に支持され、前記一方の開口から突出する先端部が前記回転体に連結されるアームと、
前記筒体内にスライド可能に支持され、他方の開口から突出するピンと、
前記筒体内に収納され、前記アームと前記ピンとの間で圧縮され、前記アーム及び前記回転体を介して、前記開閉扉に対して開方向の付勢力を付与するためのばねとを備え、
前記ベースには、
前記他方の開口から突出する前記ピンがトレースするカム面が設けられ、
前記カム面には、
前記開閉扉の閉位置において前記ピンが前記ばねの復元力で突出することによりはまり込み、前記ばねの開方向の付勢力を受け止める第１凹部と、
前記開閉扉の開位置において前記ピンが前記ばねの復元力で突出することによりはまり込む第２凹部とを備えていることを特徴とする開閉扉の開閉装置。
【請求項２】
請求項１に記載の開閉扉の開閉装置であって、
前記ベースには、
前記回転体の回転範囲にダンパーギアーを位置させた回転ダンパーが固定され、
前記回転体には、
前記回転ダンパーのダンパーギアーにかみ合うギアー部が設けられていることを特徴とする開閉扉の開閉装置。
【請求項３】
請求項１又は請求項２に記載の開閉扉の開閉装置であって、
前記アームの先端部がフック形に形成され、
フック先端部が前記回転体に回転可能に支持されていることを特徴とする開閉扉の開閉装置。
【請求項４】
請求項１〜３のいずれか１項に記載の開閉扉の開閉装置であって、
前記第２凹部が、前記第１凹部より浅く形成されていることを特徴とする開閉扉の開閉装置。
【請求項５】
請求項１〜４のいずれか１項に記載の開閉扉の開閉装置における前記ハウジングを使用した液晶プロジェクタであって、
前記液晶プロジェクタの前面を、前記開閉扉により開閉するとともに、
前記液晶プロジェクタは、
前記開閉扉が下方に向かって開くように設置された第１の設置状態と、
前記開閉扉が上方に向かって開くように設置された第２の設置状態とのいずれの設置状態にも設置可能に構成されていることを特徴とする開閉扉の開閉装置を使用した液晶プロジェクタ。
【発明の詳細な説明】
【０００１】
【発明の属する技術分野】
この発明は、開閉扉の開閉装置及びこれを使用した液晶プロジェクタに関し、開閉扉を開位置と閉位置とにロックすることができるようにしたものである。
【０００２】
【従来の技術】
従来、コイルばねを使用して、扉を全開状態と、全閉状態とのいずれかに選択的に保持することができるようにした扉用蝶番が知られている（例えば特許文献１参照。）。
なお、そのほか、板ばねを使用したもの（例えば特許文献２〜３参照）や、カムを使用したものが知られている（例えば特許文献４参照）。
【０００３】
【特許文献１】
特開平９−３２４０７号公報（２頁の段落番号「０００１」、図１及び図６参照）
【０００４】
【特許文献２】
特開平９−８３１５３号公報（図１〜図４）
【０００５】
【特許文献３】
実開昭６１−７３７６７号公報（第５図）
【０００６】
【特許文献４】
実開昭６１−２０６６０号公報（第２図）
【０００７】
【発明が解決しようとする課題】
しかし、上記した従来の扉用蝶番では、コイルばねを使用して、扉を全開状態と全閉状態と選択的に保持していたので、保持力がばね力に依存し、ばね力が弱いと扉がぐら付き易く、逆にばね力を強くすると、扉の開閉が困難になり易いという問題点があった。
【０００８】
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、開閉扉の開閉装置に関し、次の点を目的とする。
【０００９】
すなわち、請求項１に記載の発明は、開閉扉を開方向に付勢するばねにより突出するピンと、カム面との係合を利用して、開閉扉を開位置と閉位置とにロックすることができるようにしたものである。
（請求項２）
請求項２に記載の発明は、開閉扉の開閉装置に関し、上記した請求項１に記載の発明の目的に加え、次の点を目的とする。
【００１０】
すなわち、請求項２に記載の発明は、回転ダンパーを使用して、開閉扉を静粛に且つゆっくりと開くようにすることができるようにしたものである。
（請求項３）
請求項３に記載の発明は、開閉扉の開閉装置に関し、上記した請求項１又は請求項２に記載の発明の目的に加え、次の点を目的とする。
【００１１】
すなわち、請求項３に記載の発明は、回転体とアームとの干渉を防止することができるようにしたものである。
（請求項４）
請求項４に記載の発明は、開閉扉の開閉装置に関し、上記した請求項１〜３のいずれか１項に記載の発明の目的に加え、次の点を目的とする。
【００１２】
すなわち、請求項４に記載の発明は、開閉扉を比較的、軽い力で閉じることができるようにしたものである。
なすわち、開閉扉の閉位置では、ばねの付勢力が作用するので、第１凹部を深くすることで、開閉扉を確実に閉位置にロックすることができるようにしたものである。
【００１３】
これに対し、開閉扉の開位置では、ばねの付勢力が作用しないので、第１凹部を浅くすることで、開閉扉を比較的、軽い力で閉じることができるようにするとともに、開閉扉がガタ付いたり、或いは不用意に閉じるのを防止することができるようにしたものである。
（請求項５）
請求項５に記載の発明は、液晶プロジェクタに関し、上記した請求項１〜４のいずれか１項に記載の発明の目的に加え、次の点を目的とする。
【００１４】
すなわち、請求項５に記載の発明は、液晶プロジェクタに好適な開閉扉の開閉装置を提供することができるようにしたものである。
【００１５】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１６】
また、図面番号も、発明の実施の形態において用いた図番を示し、本発明の技術的範囲を限定するものではない。
（請求項１）
請求項１に記載の発明は、開閉扉の開閉装置に関し、次の点を特徴とする。
第一に、開閉扉（３０）の開閉装置（４０）には、例えば図１〜４に示すように、次の構成を備える。
【００１７】
（１）ベース（５０）
ベース（５０）は、例えば図１に示すように、開閉扉（３０）を有するハウジング（２０）に固定されるものである。
（２）回転体（６０）
回転体（６０）は、例えば図４に示すように、ベース（５０）に回転可能に支持されるとともに、開閉扉（３０）の片側に少なくとも固定されて開閉扉（３０）の回転中心となるものである。
【００１８】
なお、回転体（６０）は、開閉扉（３０）の片側に限らず、両側に固定しても良い。
（３）筒体（７０）
筒体（７０）は、例えば図３〜４に示すように、両端部がそれぞれ開口した筒形を成し、ベース（５０）に対して両端部間において回転可能に支持され、かつ両端部の一方の開口（７１）を回転体（６０）に向けたものである。
【００１９】
第二に、筒体（７０）には、例えば図１及び図３〜４に示すように、次の構成を備える。
（４）アーム（９０）
アーム（９０）は、例えば図３〜４に示すように、筒体（７０）内にスライド可能に支持され、一方の開口（７１）から突出する先端部が回転体（６０）に連結されるものである。
【００２０】
（５）ピン（１００）
ピン（１００）は、例えば図３〜４に示すように、筒体（７０）内にスライド可能に支持され、他方の開口（７２）から突出するものである。
（６）ばね（１１０）
ばね（１１０）は、例えば図３〜４に示すように、筒体（７０）内に収納され、アーム（９０）とピン（１００）との間で圧縮され、アーム（９０）及び回転体（６０）を介して、開閉扉（３０）に対して開方向の付勢力を付与するためのものである。
【００２１】
第三に、ベース（５０）には、例えば図３〜４に示すように、他方の開口（７２）から突出するピン（１００）がトレースするカム面（１２０）が設けられている。
第四に、カム面（１２０）には、例えば図１及び図６に示すように、次の構成を備えていた。
（８）第１凹部（１２１）
第１凹部（１２１）は、例えば図１及び図４に示すように、開閉扉（３０）の閉位置においてピン（１００）がばね（１１０）の復元力で突出することによりはまり込み、ばね（１１０）の開方向の付勢力を受け止めるものである。
【００２２】
（９）第２凹部（１２２）
第２凹部（１２２）は、例えば図１（二点鎖線参照）及び図４に示すように、開閉扉（３０）の開位置においてピン（１００）がばね（１１０）の復元力で突出することによりはまり込むものである。
（請求項２）
請求項２に記載の発明は、開閉扉の開閉装置に関し、上記した請求項１に記載の発明の特徴点に加え、次の点を特徴とする。
【００２３】
第一に、ベース（５０）には、例えば図３〜４に示すように、回転体（６０）の回転範囲にダンパーギアー（８１）を位置させた回転ダンパー（８０）が固定されている。
第二に、回転体（６０）には、例えば図３〜４に示すように、回転ダンパー（８０）のダンパーギアー（８１）にかみ合うギアー部（６４）が設けられている。
（請求項３）
請求項３に記載の発明は、開閉扉の開閉装置に関し、上記した請求項１又は請求項２に記載の発明の特徴点に加え、次の点を特徴とする。
【００２４】
第一に、アーム（９０）の先端部が、例えば図３〜４に示すように、フック形に形成されている。
第二に、フック先端部（例えば屈曲部９１）が、例えば図３〜４に示すように、回転体（６０）に回転可能に支持されている。
（請求項４）
請求項４に記載の発明は、開閉扉の開閉装置に関し、上記した請求項１〜３のいずれか１項に記載の発明の特徴点に加え、次の点を特徴とする。
【００２５】
すなわち、第２凹部（１２２）が、例えば図４に示すように、第１凹部（１２１）より浅く形成されている。
（請求項５）
請求項５に記載の発明は、液晶プロジェクタに関し、上記した請求項１〜４のいずれか１項に記載の発明の特徴点に加え、次の点を特徴とする。
【００２６】
第一に、例えば図２に示すように、開閉扉（３０）の開閉装置におけるハウジング（２０）を使用した液晶プロジェクタ（１０）である。
第二に、液晶プロジェクタ（１０）の前面を、例えば図２に示すように、開閉扉（３０）により開閉する。
第三に、液晶プロジェクタ（１０）は、例えば図２に示すように、開閉扉（３０）が下方に向かって開くように設置された第１の設置状態（例えば床置き状態）と、例えば図８に示すように、開閉扉（３０）が上方に向かって開くように設置された第２の設置状態（天吊り状態）とのいずれの設置状態にも設置可能に構成されている。
【００２７】
【発明の実施の形態】
（図面の説明）
図１〜８は、本発明の実施の形態の一例をそれぞれ示すものである。
図１は、開閉扉の開閉装置の側面図、図２は液晶プロジェクタの床置き状態（第１の設置状態）を示す斜視図、図３は開閉装置の分解斜視図、図４は開閉扉の閉状態を示す開閉装置の側面図、図５は開閉装置の他の側面図、図６は図４に対応し、開閉扉の開状態を示す開閉装置の側面図、図７は図４に対応し、開閉扉の開閉途中の状態を示す開閉装置の側面図、図８は液晶プロジェクタの天吊り状態（第２の設置状態）を示す斜視図をそれぞれ示すものである。
（液晶プロジェクタ１０）
図２中、１０は、ハウジング２０を使用した機器の一例である液晶プロジェクタを示すものである。
【００２８】
なお、機器は、液晶プロジェクタ１０に限定されず、開閉扉３０を有していれば、他の機器でも良い。
液晶プロジェクタ１０は、図１〜２に示すように、大別すると、次のパーツを備える。
（１）ハウジング２０
（２）開閉扉３０
（３）開閉装置４０
なお、液晶プロジェクタ１０のパーツは、上記した（１）〜（３）に限定されない。
（ハウジング２０）
ハウジング２０の前面には、図２に示すように、投光部２１を有する。
【００２９】
また、ハウジング２０の底面には、図示しないが、投光部２１の照射角度を変更するための昇降可能な脚を有する。
ハウジング２０は、図２に示すように、脚を載置した床置き状態（第１の設置状態）と、図８に示すように、脚を上方に向け、天井等に取り付けた天吊り状態（第２の設置状態）とに設置可能となっている。
（開閉扉３０）
開閉扉３０は、図１〜２に示すように、ハウジング２０の前面に、後述する開閉装置４０を左右一対使用して開閉可能に取り付けられ、投光部２１を開閉するためのものである。
【００３０】
なお、開閉扉３０の両側に計２個の開閉装置４０を取り付けたが、１個の開閉装置４０を開閉扉３０の片側だけに取り付けても良い。
開閉扉３０は、図１〜２に示すように、床置き状態（第１の設置状態）において、開閉装置４０を中心に回転して、下方に向かって開く。
これに対し、開閉扉３０は、図８に示すように、天吊り状態（第２の設置状態）において、開閉装置４０を中心に回転して、上方に向かって開く。
【００３１】
開閉扉３０の左右両側の内面からは、図３に示すように、左右一対の取付片３１が開閉扉３０の厚み方向に突出し、各取付片３１は左右の各開閉装置４０に固定される。
（開閉装置４０）
開閉装置４０には、図１及び図３に示すように、大別すると、次のパーツを備える。
【００３２】
（１）ベース５０
（２）回転体６０
（３）筒体７０
（４）回転ダンパー８０
なお、開閉装置４０のパーツは、上記した（１）〜（４）に限定されない。
【００３３】
また、筒体７０には、図１及び図３に示すように、大別すると、次のパーツを備える。
（５）アーム９０
（６）ピン１００
（７）ばね１１０
なお、筒体７０のパーツは、上記した（５）〜（７）に限定されない。
（ベース５０）
ベース５０は、図１に示すように、開閉扉３０を有するハウジング２０に固定されるものである。
【００３４】
具体的には、ベース５０には、図３に示すように、次の部分を備える。
なお、ベース５０の部分は、次の（１）〜（５）に限定されない。
（１）回転体支持軸５１
回転体支持軸５１は、図３〜４に示すように、ベース５０の厚み方向に円筒形に突出し、回転体６０を回転可能に支持するためのものである。
【００３５】
（２）ダンパー装着部５２
ダンパー装着部５２は、図３〜４に示すように、回転ダンパー８０を装着するためのものである。
（３）筒体支持穴５３
筒体支持穴５３は、図３〜４に示すように、ベース５０の厚み方向に円形に貫通し、筒体７０を回転可能に支持するためのものである。
【００３６】
（４）ガイド溝５４
ガイド溝５４は、図３及び図５に示すように、筒体支持穴５３を中心とした円弧状に形成され、筒体７０をガイドするためのものである。
（５）カム面１２０
カム面１２０は、図１及び図３〜４に示すように、ベース５０に設けられ、筒体７０の他方の開口７２から突出するピン１００がトレースするものである。
【００３７】
具体的には、カム面１２０は、図１及び図３〜４に示すように、ベース５０の厚み方向に突出した壁の側面に形成され、円弧状に湾曲している。
（回転体６０）
回転体６０は、ベース５０に回転可能に支持されるとともに、開閉扉３０の片側に少なくとも固定されて開閉扉３０の回転中心となるものである。
【００３８】
具体的には、回転体６０は、ボックス形に形成されている。
回転体６０には、図３に示すように、次の部分を備える。
なお、回転体６０の部分は、次の（１）〜（４）に限定されない。
（１）軸穴６１
軸穴６１は、図３〜４に示すように、円筒形に形成され、軸穴６１内にベース５０の回転体支持軸５１を通すことで、回転体６０は、ベース５０に対し、回転体支持軸５１を中心に回転可能に支持される。
【００３９】
（２）扉固定部６２
扉固定部６２は、図３〜４に示すように、開閉扉３０の取付片３１を挿入して固定可能なものである。
（３）アーム支持穴６３
アーム支持穴６３は、図３〜４に示すように、アーム９０の厚み方向に対向して一対形成されている。
【００４０】
（４）ギアー部６４
ギアー部６４は、図３〜４に示すように、軸穴６１を中心として円弧状に形成されている。
（筒体７０）
筒体７０は、図３〜４に示すように、両端部がそれぞれ開口した筒形を成し、ベース５０に対して両端部間において回転可能に支持され、かつ両端部の一方の開口７１を回転体６０に向けたものである。
【００４１】
筒体７０には、図３に示すように、大別すると、次の部分を備える。
なお、筒体７０の部分は、次の（１）〜（３）の部分に限定されない。
（１）開口７１，７２
開口７１，７２は、図３に示すように、筒体７０の両端部にそれぞれ形成されている。
【００４２】
（２）回転軸７３
回転軸７３は、図３に示すように、筒体７０の長さの途中に位置し、側面から円筒形に突出している。回転軸７３は、ベース５０の筒体支持穴５３に回転可能に挿入される。
（３）ガイド片７４
ガイド片７４は、図３に示すように、回転軸７３と同方向に突出し、先端部がＬ字形に屈曲している。ガイド片７４は、ベース５０のガイド溝５４内に挿入され、回転体６０の回転に伴ってガイド溝５４に沿って移動する。
【００４３】
（４）スライド溝７５
スライド溝７５は、図３〜４に示すように、アーム９０のスライド方向に長く延び、相対向して一対形成されている。
（回転ダンパー８０）
回転ダンパー８０には、例えばオイルダンパーが使用され、図３〜５に示すように、ベース５０に固定され、ダンパーギアー８１を有するものである。
【００４４】
なお、回転ダンパー８０には、例えばオイル式のものに限定される、機械式のものでも良い。
ダンパーギアー８１は、回転体６０の回転範囲に位置し、回転体６０のギアー部６４にかみ合うものである。
（アーム９０）
アーム９０は、図３〜４に示すように、筒体７０内にスライド可能に支持され、一方の開口７１から突出する先端部が回転体６０に連結されるものである。
【００４５】
具体的には、アーム９０には、図３に示すように、大別すると、次の部分を備える。
なお、アーム９０の部分は、次の（１）〜（３）に限定されない。
（１）屈曲部９１
屈曲部９１は、図３〜４に示すように、アーム９０の先端部に位置し、略Ｊ字形に屈曲している。
【００４６】
（２）支持軸９２
支持軸９２は、図３〜４に示すように、屈曲部９１の先端部の厚み方向の両側から一対突出する。両支持軸９２は、回転体６０の対向するアーム支持穴６３にそれぞれ回転可能にはまり込む。
（３）スライド軸９３
スライド軸９３は、図３〜４に示すように、屈曲部９１の長さの途中に位置し、屈曲部９１の厚み方向の両側から一対突出する。両スライド軸９３は、筒体７０の対向するスライド溝７５にそれぞれはまり込む。スライド軸９３は、回転体６０の回転に伴ってスライド溝７５に沿ってスライドする。そして、スライド軸９３は、図６に示すように、開閉扉３０の開放位置において、スライド溝７５の端部に突き当たることで、開閉扉３０の最大開放位置を規制している。
（ピン１００）
ピン１００は、図３〜４に示すように、筒体７０内にスライド可能に支持され、他方の開口７２から突出するものである。
【００４７】
具体的には、ピン１００には、図３〜４に示すように、次の部分を備える。
なお、ピン１００の部分は、次の（１）に限定されない。
（１）基部１０１
基部１０１は、図３〜４に示すように、他方の開口７２より大きく設定されている。基部１０１は、他方の開口７２からのピン１００の最大突出位置を規制している。
（ばね１１０）
ばね１１０は、図３〜４に示すように、筒体７０内に収納され、アーム９０とピン１００との間で圧縮され、アーム９０及び回転体６０を介して、開閉扉３０に対して開方向の付勢力を付与するためのものである。
（カム面１２０）
カム面１２０には、図３〜４に示すように、次の部分を備える。
【００４８】
（１）第１凹部１２１
第１凹部１２１は、図４に示すように、開閉扉３０の閉位置においてピン１００がばね１１０の復元力で突出することによりはまり込み、ばね１１０の開方向の付勢力を受け止めるものである。
具体的には、第１凹部１２１は、図４に示すように、円弧状に湾曲したカム面１２０の一端部に位置し、若干山形に隆起した後、下り傾斜している。
【００４９】
（２）第２凹部１２２
第２凹部１２２は、図６に示すように、開閉扉３０の開位置においてピン１００がばね１１０の復元力で突出することによりはまり込むものである。
第２凹部１２２が、図６に示すように、第１凹部１２１より浅く形成されている。
なお、第２凹部１２２を、第１凹部１２１より浅く形成したが、これに限らず、第１凹部１２１と同じ深さに形成しても良い。
【００５０】
具体的には、第２凹部１２２は、図４に示すように、円弧状に湾曲したカム面１２０の他端部に位置し、若干山形に隆起した後、第１凹部１２１より急勾配で下り傾斜している。
（動作の説明）
上記した構成を備える開閉装置４０の動作について、以下に説明する。
（開動作）
まず、図１に実線で示したように、閉じた状態の開閉扉３０を開くには、開閉扉３０を持って下方に引き下げれば良い。
【００５１】
開閉扉３０を開くと、回転体６０が回転し、これに連結されているアーム９０を介して、筒体７０が回転軸７３を中心に回転する。
筒体７０の回転に伴って、ピン１００がカム面１２０を移動する。
このとき、ピン１００が、カム面１２０に押されて、ばね１１０のばね力に抗して筒体７０の内部に引っ込むことで、第１凹部１２１から係脱する。
【００５２】
このため、ばね１１０の付勢力により、アーム９０が伸張することで、回転体６０が回転し、開閉扉３０が開く。
このとき、回転体６０のギアー部６４が回転することで、回転ダンパー８０のダンパーギアー８１が回転し、回転ダンパー８０の制動力が働く。
このため、開閉扉３０は、ばね１１０の付勢力により開くが、このとき、回転ダンパー８０の制動力が働き、開閉扉３０は、静粛に且つゆっくりと開く。
【００５３】
開閉扉３０は、図１に二点鎖線で示したように、ほぼ９０度開く。
開閉扉３０がほぼ９０度開くと、図６に示すように、スライド軸９３がスライド溝７５の端部に突き当たることで、開閉扉３０の最大開放位置が規制される。
また、ピン１００が、図６に示すように、第２凹部１２２の位置まで移動すると、ばね１１０の復元力で突出することで、第２凹部１２２にはまり込む。
【００５４】
このため、開閉扉３０が、振動等によりガタ付くのを防止することができる。
また、液晶プロジェクタ１０を、図８に示すように、天吊り状態（第２の設置状態）に取り付けた場合には、開状態の開閉扉３０に、その自重が作用する。
このとき、ピン１００と第２凹部１２２とのはまり合いにより、開閉扉３０が、振動等によりガタ付いたり、或いは不用意に開放するのを防止することができる。
（閉動作）
つぎに、図１に二点鎖線で示したように、開状態の開閉扉３０を閉じるには、開閉扉３０を持って上方に向かって閉じれば良い。
【００５５】
開閉扉３０を閉じると、ピン１００が第２凹部１２２から係脱し、閉位置において、ピン１００が、図４に示すように、ばね１１０の復元力で突出することで、第１凹部１２１にはまり込む。
このため、開閉扉３０は、図１に実線で示したように、ばね１１０の付勢力に抗して開位置にロックされる。
【００５６】
【発明の効果】
本発明は、以上のように構成されているので、以下に記載されるような効果を奏する。
（請求項１）
請求項１に記載の発明によれば、次のような効果を奏する。
【００５７】
すなわち、請求項１に記載の発明によれば、開閉扉を開方向に付勢するばねにより突出するピンと、カム面との係合を利用して、開閉扉を開位置と閉位置とにロックすることができる。
（請求項２）
請求項２に記載の発明によれば、開閉扉の開閉装置に関し、上記した請求項１に記載の発明の効果に加え、次のような効果を奏する。
【００５８】
すなわち、請求項２に記載の発明によれば、回転ダンパーを使用して、開閉扉を静粛に且つゆっくりと開くようにすることができる。
（請求項３）
請求項３に記載の発明によれば、開閉扉の開閉装置に関し、上記した請求項１又は請求項２に記載の発明の効果に加え、次のような効果を奏する。
【００５９】
すなわち、請求項３に記載の発明によれば、回転体とアームとの干渉を防止することができる。
（請求項４）
請求項４に記載の発明によれば、開閉扉の開閉装置に関し、上記した請求項１〜３のいずれか１項に記載の発明の効果に加え、次のような効果を奏する。
【００６０】
すなわち、請求項４に記載の発明によれば、開閉扉を比較的、軽い力で閉じることができる。
なすわち、開閉扉の閉位置では、ばねの付勢力が作用するので、第１凹部を深くすることで、開閉扉を確実に閉位置にロックすることができる。
これに対し、開閉扉の開位置では、ばねの付勢力が作用しないので、第１凹部を浅くすることで、開閉扉を比較的、軽い力で閉じることができるようにするとともに、開閉扉がガタ付いたり、或いは不用意に閉じるのを防止することができる。
（請求項５）
請求項５に記載の発明によれば、液晶プロジェクタに関し、上記した請求項１〜４のいずれか１項に記載の発明の効果に加え、次のような効果を奏する。
【００６１】
すなわち、請求項５に記載の発明によれば、液晶プロジェクタに好適な開閉扉の開閉装置を提供することができる。
【図面の簡単な説明】
【図１】開閉扉の開閉装置の側面図である。
【図２】液晶プロジェクタの床置き状態（第１の設置状態）を示す斜視図である。
【図３】開閉装置の分解斜視図である。
【図４】開閉扉の閉状態を示す開閉装置の側面図である。
【図５】開閉装置の他の側面図である。
【図６】図４に対応し、開閉扉の開状態を示す開閉装置の側面図である。
【図７】図７は図４に対応し、開閉扉の開閉途中の状態を示す開閉装置の側面図である。
【図８】図８は液晶プロジェクタの天吊り状態（第２の設置状態）を示す斜視図である。
【符号の説明】
１０　液晶プロジェクタ　　　　　２０　ハウジング
２１　投光部　　　　　　　　　　３０　開閉扉
３１　取付片　　　　　　　　　　４０　開閉装置
５０　ベース　　　　　　　　　　５１　回転体支持軸
５２　ダンパー装着部　　　　　　５３　筒体支持穴
５４　ガイド溝　　　　　　　　　６０　回転体
６１　軸穴　　　　　　　　　　　６２　扉固定部
６３　アーム支持穴　　　　　　　６４　ギアー部
７０　筒体　　　　　　　　　　　７１，７２　　開口
７３　回転軸　　　　　　　　　　７４　ガイド片
７５　スライド溝　　　　　　　　８０　回転ダンパー
８１　ダンパーギアー　　　　　　９０　アーム
９１　屈曲部　　　　　　　　　　９２　支持軸
９３　スライド軸　　　　　　　　１００　ピン
１０１　基部　　　　　　　　　　　１１０　ばね
１２０　カム面　　　　　　　　　　１２１　第１凹部
１２２　第２凹部
【図１】
2004146580.tif 000003
【図２】
2004146580.tif 000004
【図３】
2004146580.tif 000005
【図４】
2004146580.tif 000006
【図５】
2004146580.tif 000007
【図６】
2004146580.tif 000008
【図７】
2004146580.tif 000009
【図８】
2004146580.tif 000010